(57)【要約】  本発明に係る金属製の飲料用缶は戸外の使用と消費者による長時間の使用を改良するためのものである。本発明では、充填物が位置する缶本体の内部（１ｉ）に飲料を充填される前記缶本体を提案している。本体は薄板状の材料からなり、軸方向に端部を有する壁部（１ｂ、１ｃ）を備えている。壁部の軸方向の一方の端部には第１の部分（１．１）が形成され、前記第１の部分は軸方向に膨出する半球状の形状を有し、缶本体の底部とされている。第２の部分は密閉された缶を形成するために缶本体を密閉し閉塞する蓋部（２）を受け入れ、支持する本体屈曲部（２．５）を備えている。第１の部分（１．１）は前記壁部（１ｂ）の直径より小さい直径の口部（３、３’）と、閉塞（および、開封）のためのキャップ（４、４’）とを備えている。
2007509006.tif 000002
【特許請求の範囲】
【請求項１】
主に金属の薄板からなり、壁部と、この壁部の軸方向の端部とを備え、前記壁部の軸方向の両端部には、開封可能な第１部分と、開封不能な第２部分とがそれぞれ形成された飲料用缶（１、２）であって、
前記第１部分は前記飲料用缶の底端部に軸方向外側に曲がった半球状形状（１．１）を有し、
前記第２部分は略平坦な平面部（２．１）と、前記平面部の周囲を囲み、前記平面部を前記缶の前記壁部に接続する密封部（２．４）とを有することを特徴とする飲料用缶。
【請求項２】
主に金属の薄板からなり、壁部と、この壁部の軸方向の端部とを備え、前記壁部の軸方向の両端部のうちの一方の端部には開封可能な第１部分が形成され、軸方向の両端部のうちの他方の端部には閉塞不能な第２部分が形成された飲料用缶（１、２）であって、
前記第１部分は前記飲料用缶の底端部に軸方向外側に曲がった半球状の形状（１．１）を有し、
前記第２部分は略平坦な平面部（２．１）と、前記平面部の周囲を囲み、前記平面部を前記缶の前記壁部に接続する密封部（２．４）とを有することを特徴とする飲料用缶。
【請求項３】
主に金属の薄板からなり、壁部と、この壁部の軸方向の端部とを備え、前記壁部の軸方向の両端部のうちの一方の端部には閉塞可能な第１部分が形成され、軸方向の両端部のうちの他方の端部には開封不能な第２部分が形成された飲料用缶（１、２）であって、
前記第１部分は前記飲料用缶の低端部に軸方向外側に曲がった半球状形状（１．１）を有し、
前記第２部分は略平坦な平面部（２．１）と、前記平面部の周煮を囲み、前記平面部を前記缶の前記壁部に接続する密封部（２．４）とを有することを特徴とする飲料用缶。
【請求項４】
主に金属の薄板からなり、壁部と、この壁部の軸方向の端部とを備え、前記壁部の軸方向の両端部には閉塞可能な第１部分と、閉塞不能な第２部分とがそれぞれ形成された飲料用缶（１、２）であって、
前記第１部分は前記飲料用缶の低端部に軸方向外側に曲がった半球状形状（１．１）を有し、
前記第部分は略平坦な平面部（２．１）と、前記平面部の周囲を囲み、前記平面部を前記缶の前記壁部に接続する密封部（２．４）とを有することを特徴とする飲料用缶。
【請求項５】
請求項１〜請求項４のいずれか一請求項に記載の飲料用缶、若しくは請求項１〜請求項４のいずれか二の請求項に記載の飲料用缶の組み合わせに係る飲料用缶。
【請求項６】
外側方向に半球状に凸の基部（１．１）は、略中央に口部（３、３’）を備え、該口部（３、３’）は、缶の内部（１ｉ）に通じるとともに、対となる他のねじ山（４．５’’、４．１）を受け入れる少なくとも一のねじ山（３．１、３．９’）を有し、前記他のねじ山（４．５’ ‘、４．１）は底部キャップとして設計された再閉塞可能な閉塞部（４）に設けられる、    
ことを特徴とする、請求項１〜請求項５のいずれか一請求項に記載の飲料用缶。
【請求項７】
前記開封可能な第１部分（１．１）は、前記壁部（１ｂ）より小さい直径を有するとともに、キャップ状の装置（４、４．１’’’）によって閉塞されるほぼ円形状の開口部（１ｅ）を備えることを特徴とする、請求項５または請求項６に記載の飲料用缶。
【請求項８】
前記第１部分は、開口部（１ｅ）と、この開口部に外れないように取り付けられ、キャップ状に形成された再閉塞用の閉塞部（４、４’、４’’、４’’’）を開封可能に支持する担持体（３、３’）とを備え、前記再閉塞用の閉塞部は、前記担持体に少なくとも一回の閉開の作動に適当なソケット（４．１、４ａ）と、好ましくは、他の缶の密封部（２．４）と相互に噛み合い、もしくは請求項５に記載の缶の径方向の寸法にしたがって設計され、上下の積載に適応する、縦置きおよび積載用の縁部（４．６、４．７、４，２’’’）を備えることを特徴とする、請求項５に記載の飲料用缶。
【請求項９】
前記閉開の作動は、少なくともねじり、ねじを回す、またはひねりの動きであることを特徴とする、請求項８に記載の飲料用缶。
【請求項１０】
前記作動は軸方向の引くまたは押す動作を有することを特徴とする、請求項８または請求項９に記載の飲料用缶。
【請求項１１】
前記作動は、ねじ溝に沿った軸方向のねじりの動きの要素を有することを特徴とする請求項９に記載の飲料用缶。
【請求項１２】
再閉塞用の閉塞部（４）は“第１の軸方向部分”としての底部（１．１）に開封可能に強固に閉められることを特徴とする、請求項５に記載の飲料用缶。
【請求項１３】
前記閉塞部は、密閉された缶を平坦な表面にしっかり立たせるための周状の外形を有し、この周状の外形は好ましくは軸方向に延びる縁部とされることを特徴とする、請求項１２に記載の飲料用缶。
【請求項１４】
前記周状の外形（４．６）は、少なくとも部分的に（４．２’’’）周方向に形成され、軸方向に突出する縁部（４．６、４．７）を備え、
前記閉塞部は、前記少なくとも部分的に周方向に形成された縁部によって周囲を囲まれたほぼ平坦な底平面を備え、
前記底平面には前記縁部を越えて軸方向に突出する部分はないことを特徴とする請求項１３に記載の飲料用缶。
【請求項１５】
前記軸方向に突出する縁部（４．６、４．７、４．３’’、４．２’’’）は、本請求項記載の缶の密封部（２．４）に対応する他の缶の密封部と協働して上下に積載可能であることを特徴とする請求項１４に記載の飲料用缶。
【請求項１６】
上端は軸方向の底端に対向しつつ、蓋平面（２．１）と壁部との間の密封部（２．４）に近接し、底部は基部であって、密封部を有さないことを特徴とする請求項１〜請求項５のいずれか一の請求項に記載の飲料用缶。
【請求項１７】
閉塞可能であるか、または開封可能であるかは、前記第１部分または第２部分それぞれが全体的に開封可能であるか、閉塞可能であるか、開封不能であるか、または閉塞不能かには関係せず、これらより小さい部分（４．１’’’、１ｅ、３）に関係することを特徴とする請求項５に記載の飲料用缶。
【請求項１８】
担持体（３、３’）およびソケット（４．１；４ａ）は筒状に形成され、前記再閉塞用閉塞部（４、４’、４’’、４’’’）によって缶の基部を開閉するときに、これらの各々が対応してねじりの（ねじを回す）相互作用を生じるねじ山を備えることを特徴とする、請求項８に記載の飲料用缶。
【請求項１９】
前記フランジは再閉塞用閉塞部（４）より実質的に小さい直径を有し、前記閉塞部は筒状の外側の裾部（４．８、４．１’）を備え、この裾部は前記筒状のソケット（４．１；４ａ）の第２軸方向長さより大きい第１軸方向長さを有することを特徴とする請求項１８に記載の飲料用缶。
【請求項２０】
前記再閉塞用閉塞部（４）は略円柱状の外形を有し、外側の裾部（４．１）は、人間が把持し、支持して手による回転力を働かすことができるために設けられていることを特徴とする請求項８または請求項１２に記載の飲料用缶。
【請求項２１】
再閉塞用閉塞部は、担持体（３、３’）に対し、再閉塞用閉塞部が閉じられた状態において気体と液体とを閉塞するようにガスケット（４．５）を備えることを特徴とする、請求項８または請求項１２に記載の飲料用缶。
【請求項２２】
前記再閉塞用閉塞部（４）は半径方向に空気孔（３．４）を備えることを特徴とする請求項８または請求項１２のいずれかに記載の飲料用缶。
【請求項２３】
前記空気孔は、前記担持体（３）に備えられた第２軸方向の空気孔（３．２）と協働してまだ十分に結合を解かれていないねじ山の対を介して通路を開き、前記担持体と閉塞部（３．４）との閉塞状態を開放することを特徴とする請求項２２に記載の飲料用缶。
【請求項２４】
再閉塞用閉塞部は、少なくとも前記缶の底部近傍の不正開缶明示装置（３．５、３．４、４．２；３．８’’、４．９’’）の一部を構成するとともに、最初のねじり動作、最初の引っ張り動作、または最初のらせん状に回す動作のような最初の開封動作時にちぎられる協働部分を有することを特徴とする、請求項８、請求項１２、もしくは請求項２２に記載の飲料用缶。
【請求項２５】
前記担持体（３、３’）は実質的に変形しにくく、前記基部（１．１）の開口部（１ｅ）に隣接して、外側に膨出した半球状の基部に永久的に取り付けられた少なくとも１つの半径方向に向いた環状部分（３．３）を有することを特徴とする、請求項８に記載の飲料用缶。
【請求項２６】
前記担持体（３．１１’、３．２’、３’、３、４’）は、前記缶内に少なくとも部分的に延び、第１部分（３．１１；３ｂ）および第２部分（３．４’；３ａ）からなり、前記再閉塞用閉塞部（４’’、４’’’）の少なくとも軸方向の動きに際して、前記２つの部分の間には第１部分を少なくとも第２部分（３．４’）に対して伸縮動する相対的な軸方向の動きがあることを特徴とする請求項８に記載の飲料用缶。
【請求項２７】
容器（５）を備え、該容器は、閉じた底部（５ｂ）と軸方向に延ばされた壁部とを有し、前記再閉塞用閉塞部（４’’、４．４’’’、４’、４．２’）に取り付けられ、前記閉塞部からの分離手段を備えられ、前記容器の壁部と前記再閉塞用閉塞部との間の半径方向に突出した固定手段（４．４’’、４．２’、４．３’’’）を開放することにより再閉塞用閉塞部から前記容器を外すことを特徴とする請求項８または請求項１２に記載の飲料用缶。
【請求項２８】
飲料を、充填物が入れられる前記本体の内部に受け入れ、前記本体は薄板上の材料で作られ、壁部（１ｂ、１ｃ）と、これらの壁部の軸方向の端部を有し、
壁部の一方の軸方向端部には開封可能な、または閉塞可能な第１部分（１．１；３、４；３’、４’）が形成され、
前記第１部分は、缶本体（１）の底端として設けられ、軸方向（１００）に膨出された半球状の形状を有する缶本体であって、
前記第２部分には、蓋部（２）を受け入れ、支持する本体屈曲部（２．５）が設けられ、
前記蓋部は、ほぼ平らな平面部と、この平面部の周りを囲み、前記蓋部（２）を缶本体の本体屈曲部に取り付け、半径方向外側に縁部（２．３）を形成する接着部とを有し、
開封可能な、または閉塞可能な前記第１部分（（１．１；３、４；３’、４’）は、前記壁部の第２の直径にほぼ対応する第１の直径と、缶本体の軸方向の高さより小さい軸方向の延在部とを有する、閉塞装置（４、４’、４’’、４’’）とされたキャップとを備えることを特徴とする缶本体。
【請求項２９】
前記キャップは、少なくとも部分的に周状に形成され、軸方向に延びる上下積載用の縁部（４．３’’、４．６）と、密閉された本体屈曲部と蓋の縁部（２．５、２．３）とから他端に形成された密封部（２．４）の寸法に合う寸法とを有することを特徴とする、請求項２８に記載の缶本体。
【請求項３０】
飲料を、充填物が入れられる前記本体の内部に受け入れ、前記本体は薄板上の材料で作られ、壁部（１ｂ、１ｃ）と、これらの壁部の軸方向の端部を有し、壁部の一方の軸方向端部に開封可能な、または閉塞可能な第１部分（１．１）を備え、前記第１部分は、軸方向（１００）に膨出され、缶本体（１）の底端に設けられた半球状の形状を有する缶本体であって、
前記第２部分には、蓋部（２）を受け入れ、支持する本体屈曲部（２．５）が設けられ、前記蓋部は、ほぼ平らな平面部と、この平面部の周りを囲み、閉塞された缶を形成するために前記蓋部（２）を缶本体の本体屈曲部に密閉するために設けられる、半径方向外側の縁部（２．３）を形成する接着部とを有し、
開封可能な、または閉塞可能な前記第１部分（（１．１）は、前記第の部分（１．１）に、好ましくは、コップ（５）の円周の延在部より小さい、開封可能な、または閉塞可能な第１部分に装着される閉塞用部品（４、４’、４’’、４’’’）を介して取り付け可能なコップ状に形成された容器（５）を備えることを特徴とする缶本体。
【請求項３１】
飲料を、充填物が入れられる前記本体の内部に受け入れ、前記本体は薄板上の材料で作られ、壁部（１ｂ、１ｃ）と、これらの壁部の軸方向に２つの端部を有し、壁部の一方の軸方向端部に開封可能な、または閉塞可能な第１部分（１．１）を備え、前記第１部分は、半球状の形状を有し、缶本体（１）の底端とされた缶本体であって、
前記第２部分には、蓋部（２）を受け入れ、支持する本体屈曲部（２．５）が設けられ、前記蓋部は、ほぼ平らな平面部と、この平面部の周りを囲み、閉塞された缶を形成するために前記蓋部（２）を充填物が位置する缶本体の本体屈曲部に密閉するために設けられる半径方向外側の縁部（２．３）を形成する接着部とを有し、
開封可能な、または閉塞可能な前記第１部分（（１．１）は、前記壁部（１ｂ）の直径よりも小さい直径の、延在された口部（３’；３ｂ、３ｃ）を備えることを特徴とする缶本体。
【請求項３２】
飲料を、充填物が入れられる前記本体の内部に受け入れ、前記本体は薄板上の材料で作られ、壁部（１ｂ、１ｃ）と、これらの壁部の軸方向の端部を有し、壁部の一方の軸方向端部に開封可能な、または閉塞可能な第１部分（１．１）を備え、前記第１部分は、軸方向（１００）に膨出され、缶本体（１）の底端に設けられた半球状の形状を有する缶本体であって、
他方の軸方向端部には蓋部（２）を受け入れ、支持する本体屈曲部（２．５）が設けられ、前記蓋部は、ほぼ平らな平面部と、この平面部の周りを囲み、缶の本体屈曲部に前記蓋部（２）を取り付ける半径方向外側の縁部（２．３）を形成する密封部とを備え、
前記開封可能な、または閉塞可能な第１部分（１．１）は前記壁部（１ｂ）の直径よりも小さい直径の口部（３、３’）を備えることを特徴とする缶本体。
【請求項３３】
前記第１部分は開封可能、または閉塞可能に設計されていることを特徴とする、請求項２８〜請求項３２のいずれか一請求項に記載の缶本体。
【請求項３４】
金属製の薄板から、ＤＷＩ工程によって作製されることを特徴とする、請求項２８〜請求項３２のいずれか一請求項に記載の缶本体。
【請求項３５】
前記壁部は０．２４ｍｍの厚みであることを特徴とする請求項２８〜請求項３２のいずれか一請求項に記載の缶本体。
【請求項３６】
少なくとも請求項６〜請求項２７のいずれか一請求項に記載の特徴を有し、請求項１〜請求項５のいずれをも引用しないことを特徴とする請求項２８〜請求項３２のいずれか一請求項に記載の缶本体。
【発明の詳細な説明】
【技術分野】
【０００１】
本発明は再閉塞可能な缶本体及び充填缶に関し、特に、（本体と蓋とを有し）使用されて缶の内容物を部分的に消費した後に、再閉塞される缶本体及び充填缶に関する。
【背景技術】
【０００２】
飲料用缶（一体化された基部として缶本体と缶蓋との２つの部分を有する二体物）は、世界中で最も受け入れられている一度きりの使用に供される（ｓｉｎｇｌｅ  ｓｅｒｖｉｎｇｓ）包装容器の一つである。消費者はその扱い易さ、品質、中身の保護性能、および多くの利便性面の魅力によってこの包装容器を使用している。
【０００３】
飲料用缶は家庭、屋内、そして屋外における飲料消費用として一般的なものである。例えば旅行、スポーツや催し物における等の家庭外消費が高い割合を示している。屋外での使用にあっては、缶の中身は直ちに消費されるのではなく、時間をおいて消費されることが多く、缶が空になるまでには１時間からそれ以上の時間がかかることもある。このような場合、飲料用缶はもともと１度きりの使用のために設計されているのではあるが、再閉塞性が欠如している。
【０００４】
再閉塞性は、一部が消費された後の製品を新鮮に保つだけでなく、最初に缶を開けてから缶が空になるまで製品を汚染や虫の侵入から保護するといった点で有用であると考えられる。後者はまた、屋外で消費する場合の健康上および衛生上の無視できない危険性をも意味している。
【０００５】
従来技術として、缶を蓋側から開け、同じ軸側からキャップを被せて閉めるもの（例えば、特許文献１および特許文献２）が知られている。内側に向かって半球状に形成された底部が採用されている場合には、閉塞のために貫入されている缶の底部（基部）は既に提案されている（例えば、特許文献３）。口部の上に再閉塞用のキャップを有する上げ底状の缶が示されている（例えば、特許文献４）。しかしながら、缶内圧力のもとでは、当該缶は軸方向高さが増大しており、外側に膨出した底部（上側の）には、実質的な周状の段差を有することとなり、現実に、缶のような充填を許容するように直立させ／支持するような設備（ｓｔａｎｄｉｎｇ／ｓｕｐｐｏｒｔ  ｆａｃｉｌｉｔｙ）は存在しない。このため、前記飲料用缶では瓶型の口部からの充填がなされる。
【特許文献１】国際公開第９７／３６７３９号パンフレット
【特許文献２】国際公開第０１／６６４３１号パンフレット
【特許文献３】国際公開第０３／０６６４５５号パンフレット
【特許文献４】独国特許出願公開第１９８０２９５３号明細書
【発明の開示】
【発明が解決しようとする課題】
【０００６】
本発明の目的は、再閉塞の便宜を提供することによって、再閉塞ができない二体物の缶構造の持つ欠点を取り除き、消費者の要求を満足することにある。
【課題を解決するための手段】
【０００７】
本発明は、消費者が中身の一部を消費するたびに、開けられた缶を効果的に再閉塞することを可能とすることによって、缶を、戸外での使用並びに長時間に亘る使用に適するように改良するものである。
【０００８】
本発明では、飲料缶用について請求項１〜４のいずれかに記載され、または、積み重ね可能な缶本体について請求項２７〜３０のいずれかに記載された、協働する構成部分を提案している。構成部分は以下に示すものである。
【０００９】
１．飲料のような液体を保持する缶本体
２．必要に応じて、缶蓋
３．底部と協働している、注入または飲み口部
４．ねじ式で再閉塞可能なキャップ
５．必要に応じて追加される格納容器（ｃｏｎｔａｉｎｍｅｎｔ−ｖｅｓｓｅｌ）
【００１０】
本発明では、再閉塞可能な缶蓋とは異なり、缶若しくは缶本体の基部近傍の再閉塞用の閉塞部を提供することを特徴としている。缶の開封不可能な端部は、壁部の縮径の有無にかかわらず通常の設計とされるとともに、缶本体の最上端に形成された本体の鉤状のフランジを備えている。
【００１１】
缶の基部の（内向き）形状としての従来の凹状の半球面は、外側に向けて（軸方向に）膨出している凸状設計に代替されている。外方の半球状に膨出した形状は滑らかで（ｓｏｆｔ  ｓｈａｐｅ）、壁部近傍または注入口近傍に中間部分の段差はない。膨出した底部の曲率は方向が変わっても変化せず、一方、半径方向の外側から内側の開口部のそばに向かって絶対値は小さい値から大きい値へと変化する。この「３半径形状（ｔｈｒｅｅ  ｒａｄｉｕｓ  ｇｅｏｍｅｔｒｙ）」によって膨出された底部は説明される。
【００１２】
このように形成された基部の中心部の円形の開口部は、再閉塞用の閉塞部のための担持体（ｃａｒｒｉｅｒ）を、永続的に取り付けるための開口部とされている。取り付けられた後には、閉塞用の閉塞部は外側に突出した均一な縁部を有し、周辺部の外形を介して包装器を、例えばコンベアの上、搬送用のパッド上、陳列棚上、そして他の缶の上などに、静止した状態に何段でも平坦に載置することを可能としている。
【００１３】
本発明は、飲料用の缶が、缶の基部に配置された閉塞部品上で扱われるようにしている。閉塞部は、缶本体が充填を行う場所に供給される前に缶製造者によって前もって組み立てられていてよい。充填者は、充填や閉じ合わせの工程に改造を要することなく、通常通りに缶を扱うことができる。全体が開封された状態の第２の軸方向端部から缶本体が充填された後、この第２の端部は、飲料を充填された容器をシールして閉塞するために缶本体に閉じ合わされる缶蓋部で覆われる。充填者がいるところで閉塞される缶蓋部（’’端部’’）には、開封のためのタブ、または他の機構は設けられておらず、したがって、通常使用されるような’’簡単に開封できる端部’’ではなく、開封できない端部（つまり閉塞できない蓋）とされている。
【００１４】
再閉塞可能な（開封でき、閉塞できる）閉塞部品は、注入または飲み口と、再閉塞用のねじ込み可能なキャップとから構成される。円柱状の口部は缶の凸面状に形成された缶基部のほぼ中央に設けられた開口部に取り付けられる。
【００１５】
好ましくは、口部のねじ山に適合するねじ山を有しているひねりが可能なキャップは、これらキャップと口部とのねじ山で、缶の開閉、すなわち、最初の閉塞と（さらなる）再閉塞を可能としている。
【００１６】
ねじ式のキャップは、プラスチック製の嵌め込み式ガスケットを備えていてもよく、このガスケットは、口部に接触して気体と液体とを保持して容器をしっかりと再閉塞している。
【００１７】
閉塞部の内側に形成された空気穴は、開封の最初の段階で、液体状の内容物が飲んだり注いだりすることによって缶から放出される前に、缶の上部空間からの内部圧力の解放を開始させている。缶の開封時の液体の噴出の偶発的な危険は少なくとも減少されている。
【００１８】
再閉塞用の閉塞部が底端付近に不正開缶明示部を有していてもよく、これによって、消費者は飲料缶が開封されていないものか既に開封されているものかを認識することができる。
【００１９】
別の種類の注入口または飲み口が提案されている。一つは剛体で缶の基部から外側に突出するものである（請求項８）。もう一つは伸縮自在のデザインであり（請求項２５）、閉塞されている場合には缶の基部から内側に突出し、開封されている場合、もしくは少なくとも開封されようとしている場合には外側に突出する。
【００２０】
また、再閉塞可能な缶の全体は、再閉塞用の閉塞部に対して軸方向に取り付けられた着脱自在の格納容器を備えていてよい（請求項２６）。これは、缶の底立端部（ｂｏｔｔｏｍ  ｓｔａｎｄｉｎｇ  ｅｎｄ）に位置している。
【００２１】
この格納容器には消費者のために、例えばチップス、ナッツ、クラッカーまたは他のスナックや宣伝用のギフト、クーポンまたはメッセージなどのものを入れてもよい。また、このコップ状の容器は、缶から直接飲みたくない人が飲むためのコップに使われてもよい。
【００２２】
再閉塞は、缶が再閉塞された場合に、例えばその再閉塞時間内の残留炭酸の最大値を保つことによって、缶の中身を長時間新鮮に保つ。また、再閉塞は消費者の包装の衛生上および安全性上の利益を、汚染、特に虫の飲料中への進入を予防することによって拡大する。
【００２３】
飲料用缶は積載可能にされている（請求項１４、１４ａ、２７）。コップまたはキャップは他の缶蓋に重なっており、これは「ＣＵＣ缶（ｃａｎ  ｕｎｄｅｒ  ｃｏｎｓｉｄｅｒａｔｉｏｎ：工夫された缶）」の下に取り付けられている。このＣＵＣ缶によって、瓶型の充填の代わりに缶型の充填ができる。缶の充填は、キャップまたはコップの上に安全に安定して立てた状態で、蓋のない大きな開口端から行われる。このキャップは口部を覆うとともに、缶を立てた際の大きな表面を、半径方向に、かつ、少なくとも部分的にまたは断続的に形成された周囲縁部の範囲で覆う（請求項１３、１４）。一方、この縁部は、積み重なったＣＵＣ缶の下側に配置され、閉じ合わされ閉塞された缶本体の接着部の半径方向外側、または半径方向内部でのＣＵＣ缶の積載を可能としている（請求項２７ａ）。したがって、缶は同じ形の他の缶に上下に積み重ねる形で積載されるにもかかわらず、縁部は、このように同じ缶の接着部の形状に合わせて形成されている。
【００２４】
前記縁部は、請求項８、７、または１４ａにあるように、再閉塞用のキャップ部品（再閉塞用の閉塞部）の一部分である。縁部の形と寸法は蓋部の寸法に合うように選ばれている。
【発明を実施するための最良の形態】
【００２５】
この発明は、発明の理解を高めるために４つの図に示すいくつかの実施形態を含んでいる。
【００２６】
それぞれの図は、フランジが閉じ合わされた状態（右）とフランジが閉じあわされていない状態（左）との側面図（ａ）、基部近傍の拡大図（ｂ）、および分解斜視図（ｃ）を表わす、ａ、ｂ、およびｃの組になっている（例えば、図１ａ、１ｂ、および１ｃ）。
【００２７】
図１から図４（各々の’’ａ’’から’’ｃ’’）の飲料用缶１は、金属の薄板からＤＷＩ工程で作製された例である。飲料用缶１は、缶の中心軸１００から横方向に延びる凸面状の基部形状１．１を有している。基部形状は缶の内部１ｉから外部に突出している。缶の、外側に向かって半球状に凸な缶基部の断面形状は、１つ、２つ、または３つの半径を用いた設計とされていてよい。基部の凸面の深さは直径／深さの比が２から３３の間であり、好ましくは７近辺である。基部の幾何学的形状は大きく変わり得る。基部には球面状の形状に沿う段差はない。
【００２８】
実際の形状の設計は機能的、および美的観点から決定される。
【００２９】
缶の基部１．１には円状の開口部１ｅが缶の中心軸と同軸に開けられている。開口部の直径は２０ｍｍから４０ｍｍの間で、２６ｍｍ程度（＋／−１０％）が好ましい。開口部１ｅに形成された開口部の周端部は、注いだり飲んだりするための口部デバイス３を取り付けられるためにある。口部デバイス３は再閉塞可能な閉塞部の一部分であり、他の部品、すなわち、少なくともキャップデバイス４のような再閉塞用の閉塞部材を必要とする。
【００３０】
飲料用缶１はスチール、アルミニウム、プラスチック、厚紙、またはこれらを組み合わせたものの薄板から作製される。
【００３１】
ＤＷＩ工程は金属の薄板を用い、薄い壁部１ｂとこれより厚い底部１ｄを有する円柱状に形成された容器を作製する。壁部１ｂの上端部１ｃは、縮径工程において半径方向内方に形成され、図１ａに示すように、缶内部１ｉに連通し、蓋２で閉塞される小さい開口部を有する。
【００３２】
図１ｃは、缶１、蓋２、および、缶の底端１ｄに取り付けられる閉塞用デバイス４、３を分解斜視図に示している。図１ｂは図１ａの四角で囲まれた部分の拡大図であり、担持体（ｃａｒｒｉｅｒ）３の缶の底部への恒久的な取り付け、及び閉塞位置で取り付けられたキャップ部品４を表わしている。２つのねじ山（キャップ４のソケット４ａに切られたねじ山４．１、及び筒状に形成された担持体３の半径方向外側の面に切られたねじ山）は、開缶（緩める）及び閉缶のために相互に作用し合う。
【００３３】
缶蓋２はスチール若しくはアルミニウム製である。蓋２は閉塞された缶の上端である。
通常使用されている簡単に開けられる缶の端部と同様ではあるが、ここでは簡単にあけられないようになっている。すなわちスコア線（ｓｃｏｒｅ  ｌｉｎｅ）もタブもない。缶の端部の機能は中身を詰めた後の閉塞と密閉に限られている。缶蓋は略平坦な端面２．１を備えており、この端面は、皿穴２．２（溝）のそばの内部のふちを介してチャック部の壁部に接続されている。このチャック部の壁部は、まだ閉じ合わされておらず、開口された縮壁部１ｂ，１ｃに載置されているときには、図１ａ（左側部分）に示すように、環状のフランジ端部２．３で終端している。フランジ端部２．３はその外周で下方にカールされている。フランジ端部とカール部との内面は、図示しない密封用混合物とともに覆われている（ｌｉｎｅｄ）。この密封用混合物は、図１ａの右側部分に示すように、缶が充填された後に、（二重の）密封部２．４がフランジ端部と缶本体のフランジ２．５（本体屈曲部）とを巻き込むことによって形成された後、容器中の液体および気体の密封性を確立する。
【００３４】
簡単に開けることのできる機構がないことによって、缶蓋の平面部２．１は平坦で捩れのない面を保っている。このことによって、この平面部は付記的な情報または画像を印刷する、またはラベルを貼ることによって容器の宣伝板を拡張する理想的な基部とされる。
【００３５】
１つの部品からなり、円柱状に形成された口部３は高分子の熱可塑性材料からなり、中空筒状部３ａを備えている。口部の外側部分には、一方の端部に１１／２〜２５／２レボリューション（ｒｅｖｏｌｕｔｉｏｎ）のねじ山３．１が切られている。ねじ山には、最小で３つ、最大で５つ、好ましくは４つの、口部３の中心軸１００に平行な軸に沿った中断部（ｉｎｔｅｒｒｕｐｔｉｏｎ）３．２が長さ方向に形成されている。各々のねじ山の中断部の基部にはさらに小さなグローブ（ｇｒｏｖｅ）が設けられ、このグローブは、ねじ山中断部の長手方向全体にわたって突出しており、両端部のうちの短い方の端部によってその中断部を越えている。
【００３６】
口部３のねじを切られた管状部分とは反対側の端部には、半径方向外方に２つのフランジ３．３が設けられている。これら両フランジは、缶の本体１．１の板厚に対応する  ’’ｄ’’  の距離をおいて隔てられている。缶本体の開口部１ｅの内側に口部３を取り付けた後には、両フランジは口部３を装着される缶本体の穴１ｅを囲って塗布されている熱密封型材料のどちらか一方に熱密封されている。
【００３７】
缶本体１．１の外側に取り外しできないように装着された口部のフランジは、５本から１５本、好ましくは１２本のねじ山３．４を介して、断面ｕ字状の不正開缶明示リング（ｔａｍｐｅｒ  ｅｖｉｄｅｎｃｅ  ｒｉｎｇ）３．５に接続している。不正開缶明示リングを扱うための動作機能４．２は閉塞用キャップの設計の一部分であり、後述の対応する説明中に示す。
【００３８】
口部３の代替例は図３および図４に示され、そこでは口部３’とされている。口部３’は２つの部分からなる。二体物の口部３’は高分子熱可塑性材料から成る管状に設計されている。口部の半径方向外側の部分はねじ山３．１’と、その内側に位置する３６０度の摺動部３．２’とから構成される。また、二体物の口部３’は、缶本体１．１に口部の外側部分３ｃを取り付けるために使われる２つの半径方向のフランジ３．４’に隣接するように、好ましくは円周方向に等間隔に形成された、４個から８個、好ましくは６個の窓状の開口部３．３’を備えている。摺動部３．２’は口部デバイス３ｃの、装着用のフランジ３．４’とは反対側の軸方向端部に配置されている。２〜３のレボリューションのねじ山は、口部のフランジ側の端部に設けられている。ねじ山は、いくつかの、好ましくは最小３つで最大４つもしくは５つの中断部３．５’を口部の中心軸１００に平行な軸に沿った長手方向に有している。
【００３９】
各々のねじ山中断部の基部にはさらに小さなグローブが設けられ、このグローブは、ねじ山中断部全体にわたって突出しており、両端部のうちの小さいほうの長さによってその中断部を越えている。
【００４０】
口部３’のねじ山側とは反対側の端部には半径方向外側に向いた２つのフランジが設けられている。口部の外側に位置するフランジは環状の突起部３．６’に延在されており、この突起部３．６’の軸方向に面する外側の面の断面は略円状に形成されている。両フランジは、前述のように、缶本体の材料厚みに等しい距離で隔てられている。缶の基部１．１の開口部１ｅの内側に代替の口部３’を取り付けた後には、両フランジは缶本体の穴１ｅを囲って塗布されている熱密封型材料のどちらか一方に熱密封されている。このように取り付けることによって、開口部１ｃの開口端には腐食防止処理が施される。
【００４１】
缶本体の外側に配置された口部のフランジは、５から１５、好ましくは１２の細いねじ山３．７’を介して、断面略ｕ字状の不正開缶明示リング３．８’に接続している。不正開缶明示リングを取り外すための動作機能４．９’’は閉塞用キャップの設計の一部分であり、後述の説明中に示す。
【００４２】
口部３’の半径方向内側の部品３ｂは、さらにねじ山３．９’を内周面と外周面とにそれぞれ形成されている。これら両方のねじ山は口部の内側部品と同じ端部に配置されている。外側のねじ山３．９’は、口部の外側部品の内側に形成された内側のねじ山３．１’に合っている。内側に形成された内側のねじ山３．９’は、後述する閉塞用キャップ４とそのソケット４ａの内周面に形成されたねじ山に合っている。
【００４３】
内側口部３ｂは先細り部分３．１０’のねじ山が形成されている部分の端まで続いている。内側口部は閉塞用キャップの平面部分に形成され、少し狭くなるようにテーパーのかけられた取り付け口に合っており、閉塞システムが一部開いた状態で、両部品がぴったり合って互いに固着するようになっている。これらテーパー部分は外側口部３ｃに相対的に軸方向に動く内側口部３ｂをその動きの端部のみ開放する。これは内側口部が最も外側に出っ張ったときであり、閉塞を開封するプロセスの最初の段階に相当する。テーパー部分は閉塞プロセスの動きの最終段階で再度固定する。
【００４４】
内側口部のねじ山から離れた側の端部には、外側に向いた環状のフランジ３．１１’が設けられている。このフランジ３．１１’は、再閉塞可能な閉塞部品を開閉するときに外側口部の摺動部（ｓｌｉｄｉｎｇ  ｂｅｄ）の中を移動している。フランジは、内側口部の軸方向の動きを摺動部の両端で終わらせる。
【００４５】
内側口部のフランジ状に形成された端部は、外側口部に内側口部を取り付け、円周状のフランジ３．１１’を前記空間３．２’に噛み合わせるために、４個から８個、好ましくは６個の間隙３．１２’を備えるように設計されている。
【００４６】
図１ａから１ｃに示す再閉塞用のねじ締め式キャップ４は高分子熱可塑性材料で作られ、円柱状の形状に設計されている。その直径は、円である場合には、缶の壁部１ｂの外径にほぼ対応している。キャップは平面部４．４の中央内部に筒状部４ａを備え、筒状部４ａの内側にはねじ山４．１が形成されている（雌設計）。ねじ山と、内側の再閉塞可能部分の直径との両方は、口部３（雄設計）の対応する部分と合うようになっている。この部分はソケット４ａ、４．１とされている。
【００４７】
また、中央内部の筒状部は再閉塞可能な閉塞システムの不正開缶明示機能のもう一方に当たるｕ字型部分４．２を備えている。キャップ４のｕ字型部分は、４から１５、好ましくは１２の周状部４．３に分割されている。キャップ４のｕ字型部分の鉤状部分をｕ字型リング３．５の鉤状部分に引っ掛けて止める前に、キャップ４をねじ山３．１にねじ込み、軸方向の変位を４．３の部分の周状の弾性ひずみに変換することによって、キャップ４の最初の取り付けのときにのみ、このキャップ４のｕ字型部分と、紐部３．４によって口部３のフランジ３．３の外側部分に接続されたｕ字型の不正開缶明示リング３．５とによってばね式の固定がなされている。図１ｂは施錠部分を示している。
【００４８】
‘‘はじめはｕ字型の’’不正開缶明示リング３．５は、再閉塞可能な閉塞システムを最初にねじって開ける時に細い紐３．４を切ることによって無理やり開封され、ひねりが可能なキャップ４の内側のｕ字型部分４．３に引っ掛かった状態で残る。不正開缶明示は回転の抵抗の突然の変化と、閉塞の初めての開封のときのみを意味するはっきりした音によって認識され得る。
【００４９】
ひねりが可能なキャップ４の内部の横方向の水平部分４．４には、閉められたキャップが気体と液体を密封するためにガスケット状の密封板が設けられている。
【００５０】
ひねりが可能なキャップの水平部分４．４は全面に亘ってほぼ平らで、外周近傍に縁部４．６を有し、平面部から縁部を通って円柱状の壁部４．８につながる部分としてふち部４．７を有している。
【００５１】
縁部の直径とふち部の傾きは、閉塞用キャップ４が缶蓋の外形に上下に重ねられるように（缶を積み重ねられるように）、好ましくは密封部２．４の半径方向外側になるように決められる。そうすると、中身の入った缶同士を安全に積み重ねることができる。キャップ４の底縁部は、閉塞された反対側の端部（蓋部）に合うようにされて上下に積み重ね可能とされている。これを「蓋形状による上下積載可能構造（ｎｅｓｔａｂｌｅ  ｗｉｔｈ  ｔｈｅ  ｌｉｄ  ｇｅｏｍｅｔｒｙ）」と言う。
【００５２】
キャップの円柱状壁部４．８の外側面には、消費者が開閉を容易に行えるように縦溝４．９が設けられている。畝上に形成された表面４ｃは半径方向外側に面し、キャップ４の’’つかみやすい表面’’の一例とされている。
【００５３】
図２ａから２ｃに示す、さらなる実施例の再閉塞用のひねりが可能なキャップ４’は、下記に示す例外を除き上述した再閉塞用キャップ４と同様である。
【００５４】
ひねりが可能なキャップ４’の外周壁面４．１’は段状に設計され、軸方向に沿って直径が変わっている。段状の設計では一方の端部では缶の直径に等しく、ふち部４．７の前の他方の端部ではそれより小さい直径となっている。外側の側壁には、小径部から大径部への遷移部分４．３の近傍に最小で３、最大で７、好ましくは５つの鍵部４．２が設けられている。これら鍵部は、後述の、少なくともねじ山Ｙを有する取付け任意の格納容器５をしっかり止めて機械的に固定するためにある。
【００５５】
この実施例においても、ふち部４．７は他の缶の密封部２．４と上下に積み重ねられている。
【００５６】
さらに、再閉塞用ひねりが可能なキャップ４’’は、図３ａから３ｃに示すように、高分子熱可塑性材料から作られ、丸みを帯びた設計となっている。３つ目のひねりが可能なキャップ４’’の外周壁部４．１’’は、軸方向１００の筒状の外観で、飲料用缶と同じ外径を有している。外周壁部４．１’’はふち部４．２’’を介してひねりが可能なキャップの縁部４．３’’に接続している。この縁部４．３’’もまた、他端の密封部２．４に対応して密閉された上下に積み重ねられるようにされている。
【００５７】
ふち部４．３’’には最小３個で最大７個、好ましくは５個の鍵部４．４’’が設けられている。これらの鍵部は後述する取り付け任意の円柱状容器５をしっかり止めて機械的に固定するためにある。ひねりが可能なキャップ４’’にもまた、中心部内面に、外側面にねじ山４．５’’を有する筒状のソケット部が設けられている。ねじ山と、内部の再閉塞可能な部分の直径との両方は、伸縮自在の口部３’の対応部分に合うようになっている。ひねりが可能なキャップ４’’の平面部に軸方向に対向する内面には、好ましくは傾きを持った断面を有し、口部３’の伸縮自在な部分３ｂの、好ましくは傾きを持つ端部３．１０’’に幾何形的に合う環状の溝４．６’’が設けられている。雄と雌のテーパー部分は、ねじ式のキャップが密閉方向である時計方向に最もねじを回された状態のときに、伸縮自在な口部３ｂをひねりが可能なキャップ４’’に固定する。この摩擦による固定によって、ひねりが可能なキャップ４’’の反時計回りの回転によって開封されるときに、口部３’の伸縮自在な部分は容器の外側に動くことができる。
【００５８】
また、ひねりが可能なキャップ４’’の平面部の内面には溝４．７’’が備えられており、この溝４．７’’は口部３’のフランジ３．４’のうち外側のフランジに形成され、外側に突出した突起３．６’に幾何形的に合う入り口密封材４．８’’を備えている。密封材と突起とは、再閉塞可能な閉塞部が閉状態にあるときに、気体および液体を厳重に密封している。
【００５９】
さらに、再閉塞可能なひねりが可能なキャップ４’’の平面部は、前述のように作動する再閉塞可能な閉塞部の不正開缶明示部４．９’’、３．８’のうちの一方の、はじめはｕ字型である部分４．９’’を備えている。
【００６０】
ひねりが可能なキャップ４’’のｕ字型部分４．９’’は軸方向にいくつかに、好ましくは４個から１５個の間のいずれか、または１２個くらいに分割されている。キャップ４の最初の取り付けのときにのみ、このキャップ４のｕ字型部分と、紐部３．７’によって口部３’の固定された部分３ｃの外側のフランジに接続されたはじめはｕ字形の不正開缶明示リング３．８’とによってばね式の（弾性的な）固定がなされている。不正開缶明示リングは、再閉塞可能な閉塞部を最初に開ける時に紐を切ることによって開封され、ひねりが可能なキャップの内側のｕ字型部分に引っ掛かった状態で残る。不正開缶明示は回転の抵抗の突然の変化、または、閉塞の初めての開封のときのみを意味するはっきりした音によって認識される。
【００６１】
図４ａから４ｃに示したさらなる実施例の再閉塞可能なキャップ４’’’は、以下に述べる例外を有するが、実施例４’’で説明した際閉塞可能なひねりが可能なキャップとほぼ同一である。
【００６２】
ひねりが可能なキャップ４’’’は縮小された直径の平面部４．１’’’を有している。縮小された平面部４．１’’’はひねりが可能なキャップ４’’と同じ特徴をもたらすにもかかわらず、缶本体の直径に合わせるための部分４．４’’’によって部分的に空間を有し、材料を削減する構造となっている。ひねりが可能なキャップ４’’’は、３本から７本の間の、好ましくは５本の脚部４．２’’’を備えており、少なくともそのいくつかは容器を積み重ねる特徴と、対応する掛け金部Ｙによって後述の取り付け任意の容器５をしっかりと留めて機械的に固定する鍵部４．３’’’とを有している。
【００６３】
動作上は最初の実施例の縁部４．６に対応する脚部４．２’’’は、下に位置する閉塞された容器の接ぎ合わされた他方の端部の半径方向内側、もしくは外側に積み重ねられることによって’’積載可能な特性’’を持つために、密封部２．４に幾何形的に合う様にされている。これは同じ容器の他端にも当てはめられすべての端部が同じようにされている。
【００６４】
図３と４とに示した付加された格納容器５は高分子熱可塑性材料で作られている。格納容器５は、上部を開口され、底が閉じたコップ状の外観が好ましい。上部の幾何形的形状は容器本体の壁部１ｂの底部の外径に合っている。容器の底部５ｂは、コップを取り付けた容器が積載できるように、５ｂ’の幾何形的形状がひねりが可能なキャップ４、４’、４’’、および４’’’の外形と同じになるようにされている。
【００６５】
容器の上部の内側には、３本から７本の間の、好ましくは５本の噛み合わせ用のねじ溝５．２が中断部５．１を有しつつ備えられたはずれ止め領域が容器５の上端から距離をおいて設けられている。この距離は、それぞれのふち部、もしくは脚部４．２’’’の軸方向の長さを含んだ外側の裾部４．１’’、４．２’’、または４．１’の軸方向の外延にほぼ対応している。
【００６６】
中断部５．２は、種々のひねりが可能なキャップの周面に形成された鍵部４．４’’’、４．２’、または４．３’’’に合っている。コップ状容器と容器との固定は、中心軸１００の周りに、コップ状容器を時計回りに容器に相対的に回転することによってなされる。コップ状容器の取り外しは、中心軸の周りに容器に相対的に、コップ状容器を反時計回りに回転することによってなされる。
【００６７】
キャップ４’’、４’’’は軸方向に沿ってより平坦な外観となっている。これらは前記取り付け可能なコップ状容器５を取り付けられる方が好ましく、組み立て後の容器の軸方向全体の長さを縮小し、他端の密封部分２．４の幾何形的形状に応じてコップ状容器５の有無にかかわらず積載を可能としている。
【００６８】
（構成部品の組み立て設備）
缶１と蓋２とは、すべての口部とひねりが可能なキャップとの外形に合い、同様にすべてのコップ状容器にも合う。
【００６９】
１つの部品から成る口部３は、コップ状容器５の有無にかかわらず、キャップ４と４’とに合う。
【００７０】
二体物の口部３’はキャップ４’’と４’’’とに合う。
【００７１】
コップ状容器５はキャップ４’、４’’、および４’’’に合う。
【図面の簡単な説明】
【００７２】
【図１】３枚の図１ａ、１ｂ、１ｃに示される第１の実施形態である。
【図２】３枚の図２ａ、２ｂ、２ｃに示される第２の実施形態である。
【図３】３枚の図３ａ、３ｂ、３ｃに示される第３の実施形態である。
【図４】３枚の図４ａ、４ｂ、４ｃに示される第４の実施形態である
【符号の説明】
【００７３】
１：飲料用缶
１．１：缶本体
１ｂ：壁部
１ｃ：上端部
１ｄ：底部
１ｅ：開口部
１ｉ：缶の内側
２：缶蓋
２．１：平面部
２．２：皿穴
２．３：フランジ端部
２．４：密封部
２．５：フランジ
３、３’：口部デバイス
３ａ：中空筒状部
３ｂ：内側口部
３ｃ：外側口部
３．１、３．１’：ねじ山
３．２：中断部
３．２’：摺動部
３．３：フランジ
３．３’：開口部
３．４：紐部
３．４’：フランジ
３．５：不正開缶明示リング
３．５’：中断部
３．６’：突起部
３．７’：ねじ山
３．８’：不正開缶明示リング
３．９’：ねじ山
３．１０’：先細り部分
３．１０’’：端部
３．１１’：フランジ
３．１２’：間隙
４：キャップ
４ａ：ソケット
４ｃ：表面
４．１：ねじ山
４．２：ｕ字型部分
４．３：周状部
４．４、４．１’’’：平面部
４．５：ガスケット
４．６：縁部
４．７：ふち部
４．８：壁部
４．８’’：入り口密封材
４．９：縦溝
４’、４’’、４’’’：ねじ式キャップ
４．１’：外周壁面
４．２’、４．３’’’：鍵部
４．２’’’：脚部
４．３’：遷移部分
４．３’’：ふち部
４．４’’、４．３’’’：鍵部
４．５’’：ねじ山
４．６’’：溝
４．７’’：溝
４．９’’：不正開缶明示部
５：格納容器
５ｂ：底部
１００：中心軸
Ｙ：ねじ山
【図１ａ】
2007509006.tif 000003
【図１ｂ】
2007509006.tif 000004
【図１ｃ】
2007509006.tif 000005
【図２ａ】
2007509006.tif 000006
【図２ｂ】
2007509006.tif 000007
【図２ｃ】
2007509006.tif 000008
【図３ａ】
2007509006.tif 000009
【図３ｂ】
2007509006.tif 000010
【図３ｃ】
2007509006.tif 000011
【図４ａ】
2007509006.tif 000012
【図４ｂ】
2007509006.tif 000013
【図４ｃ】
2007509006.tif 000014
【国際調査報告】
2007509006.tif 000015
2007509006.tif 000016
2007509006.tif 000017
2007509006.tif 000018
2007509006.tif 000019